(57)【要約】【課題】一包化薬剤の落薬を確実に防止することができるとともに、収納部に一包化薬剤を容易に出し入れすることができる薬剤管理具を提供する。【解決手段】一包化薬剤Ｄを収納するための収納部２がシート本体１０に複数設けられた薬剤管理具１において、収納部２は、一包化薬剤Ｄを狭圧する態様で収容するとともに、内面の全部または一部の領域に複数の凹凸が設けられている。これにより、収納部２に収納された一包化薬剤Ｄが挟圧されるため、一包化薬剤Ｄの落薬を確実に防止することができるとともに、収納部２は内面２０ｂに複数の凹凸が設けられているため、収納部２の内面２０ｂの接触面積が減少し、収納部２に一包化薬剤Ｄを容易に出し入れすることができる。【選択図】図３
2015146963.tif 000002
【特許請求の範囲】
【請求項１】
一包化薬剤を収納するための収納部がシート本体に複数設けられた薬剤管理具において、
前記収納部は、一包化薬剤を狭圧する態様で収容するとともに、内面の全部または一部の領域に複数の凹凸が設けられていることを特徴とする薬剤管理具。
【請求項２】
前記複数の凹凸は、表面粗さが１インチ当たり３００〜４００メッシュの梨地模様であるである請求項１に記載の薬剤管理具。
【請求項３】
前記複数の凹凸は、シボ加工により形成されている請求項２に記載の薬剤管理具。
【請求項４】
前記収容部は、外面が平坦に形成されている請求項１から請求項３のいずれかに記載の薬剤管理具。
【請求項５】
前記収納部の外面の下部に第２の収納部が設けられ、
該第２の収納部は、前記収納部の高さの１／２以下の高さである請求項１から請求項４のいずれかに記載の薬剤管理具。
【発明の詳細な説明】
【技術分野】
【０００１】
本発明は、介護等の現場において一包化薬剤を管理するための薬剤管理具に関するものである。
【背景技術】
【０００２】
従来、高齢者や認知症等の患者を介護する介護の現場において、介護を受ける被介護者が医師から処方されている薬剤の種類は被介護者ごとに異なり、さらに各被介護者に処方されている薬剤が多種に亘ることから、介護を担当する介護者が被介護者に正確に薬剤を服用させることは容易な作業ではなかった。そこで、特許文献１に示すような薬剤管理具が提案されている。
【０００３】
この薬剤管理具は、吊り下げ可能とした合成樹脂からなる台紙に、内部に収納した複数の薬剤を透視でき、上部が開口した襠（マチ）付きポケットを横方向１列状に１日分を収納できるようにして配設するとともに、縦方向には該襠付きポケットを、その底部が下方の襠付きポケット内に一部重なるように１週間分を配列配置し、前記横方向１列状に配列した１日分の襠付きポケットを、服用時間帯毎に台紙と融着して仕分けるように構成したものである。
【０００４】
このような薬剤管理具を用いて、薬剤師が薬局において被介護者に一時に服用させる複数の薬剤を一包化して（以下、このような一包化した薬剤を一包化薬剤という）服用させる日付・時間帯に対応したポケットに差し込み、介護者が介護現場において一包化薬剤を服用させる日付・時間帯に対応したポケットから取り出して被介護者に服用させることが行われている。
【０００５】
しかしながら、この薬剤管理具では、薬剤管理具を薬局から介護現場に運搬する途中で、襠付きポケットに収納した一包化薬剤が該襠付きポケットから滑り出て落下する問題（以下、落薬という）があった。落薬した一包化薬剤を運搬者など薬剤師以外の者がポケットの入れ直すと、薬剤の専門知識が乏しいために入れ直すポケットを取り違え、投薬ミスに繋がる虞があった。だからといって、落薬した一包化薬剤を入れ直すために、運搬者などが薬剤師のもとに戻ることにすると、戻る手間や時間の無駄が生じる問題があった。
【０００６】
そこで、特許文献２に示すように、ポケットに襠の無い一包化薬剤の薬剤管理具が提案されている。
【０００７】
この薬剤管理具は、投薬された薬品Ｍを、指定された服用時間帯毎に識別整理して収納できる用具であって、本体シート１の表面には、日付軸Ｄおよび服用時間帯軸Ｔが設定されており、当該日付軸Ｄには、日付プレート２１および曜日プレート２２が収納保持可能なプレートポケット１２ｄ・１２ｄ…が形成され、かつ、服用時間帯軸Ｔには、服用時間帯プレート２３が収容保持可能なプレートポケット１２ｔ・１２ｔ…が形成されており、前記日付プレート２１および曜日プレート２２、服用時間帯プレート２３から成るこれら表示プレート２が、前記本体シート１のプレートポケット１２内において交換可能に構成されている一方、これら両軸の交差位置において、薬品Ｍを収納かつ視認可能な薬品収納ポケット１１・１１…が配設されている。
【先行技術文献】
【特許文献】
【０００８】
【特許文献１】特開２００３−５２７９３号
【特許文献２】実用新案登録第３０９４３７７号
【発明の概要】
【発明が解決しようとする課題】
【０００９】
しかしながら、特許文献２の薬剤管理具では、合成樹脂製の本体シートに合成樹脂製のシート部材を融着し、本体シートとシート部材とでポケットの両面を形成することにより薬品収納ポケットが設けられているため、本体シートとシート部材が湿気等で貼り付いてポケット内が閉塞され、ポケットに一包化薬剤を差し込むことが困難になる問題があった。また、ポケットに差し込んだ一包化薬剤の外袋が合成樹脂製である場合は、一包化薬剤とシート部材が、あるいは一包化薬剤と本体シートが、湿気等で貼り付いて、ポケットから一包化薬剤を取り出すことが阻害される問題があった。これらの問題は、多数の介護者の介護を強いられスケジュールがタイトな介護の現場では、非常に憂慮される問題であった。
【００１０】
本発明は、上述の問題に鑑みてなされたものであり、一包化薬剤を容易に出し入れすることができる薬剤管理具を提供することを目的とする。
【課題を解決するための手段】
【００１１】
本発明は、上記目的を達成するために、一包化薬剤を収納するための収納部がシート本体に複数設けられた薬剤管理具において、前記収納部は、一包化薬剤を狭圧する態様で収容するとともに、内面の全部または一部の領域に複数の凹凸が設けられていることを特徴とする。
【００１２】
これによれば、収納部に収納された一包化薬剤が挟圧されるため、一包化薬剤の落薬を確実に防止することができる。また、収納部は内面に複数の凹凸が設けられているため、収納部の対向する内面同士の接触面積が減少し、両者が貼り付いて収納部が閉塞される虞がなく、収納部に一包化薬剤を容易に差し入れることができる。また、収納部の内面に複数の凹凸が設けられているため、収容部の内面と一包化薬剤との接触面積が減少し、両者が貼り付かず、収納部から一包化薬剤を容易に取り出すことができる。
【００１３】
また、複数の凹凸は、表面粗さが１インチ当たり３００〜４００メッシュの梨地模様であるであるのが好ましい。これによれば、収納部の内面が適度な表面粗さを備えるため、収容部の内面同士の貼り付きや、収容部の内面と一包化薬剤との貼り付きをより確実に防止することができ、収納部に一包化薬剤をより容易に出し入れすることができる。
【００１４】
また、複数の凹凸は、シボ加工により形成されるのが好ましい。これによれば複数の凹凸を設ける表面処理を安価に行うことができる。
【００１５】
また、シート部材は、外面が平坦に形成されるのが好ましい。これによれば、シート部材の外面において入射光や射出光が乱反射しくくなるため、収納部に収容された一包化薬剤の視認性が向上する。
【００１６】
また、収納部の外面の下部に第２の収納部が設けられ、該第２の収納部は、収納部の高さの１／２以下の高さであるのが好ましい。これによれば、第２の収納部に一包化薬剤に関する情報を記載した紙片等を差し入れることができる。しかも、第２の収納部の高さが収納部の高さの１／２以下であるため、第２の収納部に挿入した前記紙片等により収納部に挿入した一包化薬剤の視認性が阻害される虞がない。
【発明の効果】
【００１７】
本発明によれば、収納部に収納された一包化薬剤が挟圧されるため、一包化薬剤の落薬を確実に防止することができる。また、収納部は内面に複数の凹凸が設けられているため、収納部の対向する内面同士の接触面積が減少するため、両者が貼り付いて収納部が閉塞される虞がなく、収納部に一包化薬剤を容易に差し入れることができる。また、収納部の内面に複数の凹凸が設けられているため、収容部の内面と一包化薬剤との接触面積が減少するため、両者が貼り付かず、収納部から一包化薬剤を容易に取り出すことができる。
【図面の簡単な説明】
【００１８】
【図１】薬剤管理具を示す正面図である。
【図２】薬剤管理具の収容部付近を示す縦断面図である。
【図３】収納部の空の状態を示す拡大縦断面図である。
【図４】収容部に一包化薬剤が収納された状態を示す拡大縦断面図である。
【図５】薬剤管理具の使用例を示す正面図である。
【発明を実施するための形態】
【００１９】
次に、本発明に係る薬剤管理具の一の実施形態について図１〜図５を参照しつつ説明する。
【００２０】
薬剤管理具１は、図１に示すように、壁などにフックを介して吊り下げられるシート本体１０と、シート本体１０に複数設けられた収納部２と、各収納部２の前方に設けられた第２の収納部３とを備える。
【００２１】
前記シート本体１０は、薬剤管理具１の基材として機能する合成樹脂製のシートである。このシート本体１０は、壁などにフックを介して吊り下げることができるように上部が板材などで補強されている。なお、本実施形態では、シート本体１０は幅４４０ｍｍ、高さ７２０ｍｍ、厚み０．３０ｍｍの大きさで、かつ硬度♯３２０の硬さで形成されている。
【００２２】
前記収納部２は、薬剤Ｍが袋に封入された一包化薬剤Ｄを内部に収容するためのものであり、図１に示すように、シート本体１０の表面に縦７列横４列に並んで形成されている。この収容部２は、図２に示すように、シート本体１０の表面１０ａと、シート本体１０に融着される合成樹脂製のシート部材２０の裏面２０ｂとに挟まれた上部開口のポケット状の空間である。また、この収納部２は、シート部材２０の裏面２０ｂが前方の内面となり、シート本体１０の表面１０ａが後方の内面となるように構成されており、これら内面１０ａ、２０ｂ同士を当接させる態様で内面１０ａ、２０ｂの両側および下側の縁部が融着されている。したがって、収納部２は、両内面２０ａ、２０ｂが当接した両側に襠（マチ）のない極めて狭い空間になるため、収納部２に一包化薬剤Ｄを上部開口から差し入れた場合、一包化薬剤Ｄは収容部２の両内面２０ｂ、１０ａに挟圧された状態となり、一包化薬剤Ｄの落薬を防止することができる。なお、収容部２を構成するシート部材２０は、厚み０．１５ｍｍで形成されている。
【００２３】
また、前記収納部２は、図２に示すように、前方の内面２０ｂの全部の領域に複数の凹凸が形成されている。本実施形態では、この複数の凹凸は、複数の突起１００からなる梨地模様であり、金型（鋳型・プレス型）の表面に細かい模様（凹凸）をつけ成形品にその模様を転写するシボ加工により形成される。
【００２４】
このように、収納部２の前方の内面２０ｂに複数の凹凸が形成されることにより、収納部２が空の場合において、図３に示すように、収納部２の対向する内面１０ａ，２０ｂ同士は面接触ではなく点接触し、両者の接触面積が減少する。このため、収納部２の対向する内面１０ａ，２０ｂ同士が貼り付いて収納部２が閉塞することが防止され、収納部２に一包化薬剤Ｄを容易に差し入れることができる。また、収納部２に一包化薬剤Ｄが収納されている場合において、図４に示すように、収容部２の前方の内面２０ｂと一包化薬剤Ｄの表面とは面接触ではなく点接触し、両者の接触面積が減少する。このため、収容部２の前方の内面２０ｂと一包化薬剤Ｄの表面とが貼り付きにくくなり、収納部２から一包化薬剤Ｄを容易に取り出すことができる。
【００２５】
前記複数の凹凸は、表面粗さが１インチ当たり３００〜４００メッシュ、好ましくは１インチ当たり３７０〜３９０の梨地模様である。
【００２６】
また、収納部２は、外面を構成するシート部材２０の表面２０ａが平坦に形成されている。このため収容部２の外面（シート部材２０の表面２０ａ）で入射光や射出光が乱反射しないため、収納部２内の一包化薬剤Ｄの視認性が向上する。
【００２７】
なお、収納部２は、図５に示すように、高さＨ１が７０〜９０ｍｍに形成されている。これによれば、収納部２の高さＨ１が一包化薬剤Ｄの収容に必要十分な大きさであるとともに、収納部２を縦７列横４列のように多数設ける場合であっても薬剤管理具１をコンパクトに構成することができる。
【００２８】
前記第２の収納部３は、被介護者や一包化薬剤Ｄに関する情報を記載した紙片等を差し入れるためのものであり、図１に示すように、第１の収容部２の下部に設けられている。この第２の収容部３は、図２に示すように、シート部材２０の表面２０ａと、該シート部材２０に融着される合成樹脂製の第２のシート部材３０の裏面３０ｂとに挟まれた上部開口のポケット状の空間である。この第２の収納部３は、第２のシート部材３０の裏面３０ｂが前方の内面となり、シート部材２０の表面２０ａが後方の内面となるように構成されており、これら内面２０ａ、３０ｂ同士を当接させる態様で内面２０ａ、３０ｂの両側および下側の縁部が融着されている。これによれば、図５に示すように、第２の収納部３に一包化薬剤Ｄに関する情報を記載した紙片等（例えば、「鈴木一郎」等の氏名札等）を差し入れることができ、薬剤管理具１の利便性が向上する。
【００２９】
また、第２の収納部３は、図１に示すように、収納部２の高さＨ１の１／２以下の高さＨ２である。これによれば第２の収納部３に挿入した前記紙片等により収納部に挿入した一包化薬剤Ｄの視認性が阻害される虞がない。
【００３０】
なお、第２の収容部３は、第２のシート部材３０側の内面３０ｂや、シート部材２０側の内面２０ａに収容部２と同様の複数の凹凸がシボ加工により形成されてもよい。
【００３１】
また、シート本体１の上部には第３の収容部５が縦１列横４列に設けられている。この第３の収容部５は、図５に示すように、被介護者や一包化薬剤Ｄに関する情報を記載した紙片等（例えば「あさ」「ひる」「よる」「ねるまえ」等）を差し入れるためのものであり、シート本体１０の表面１０ａと、該シート本体１０に融着される第３のシート部材４０の裏面とに挟まれた上部開口のポケット状の空間である。
【００３２】
また、シート本体１の左部には、第４の収容部５と第５の収容部６が縦７列横１列で設けられている。この第４の収容部５は、図５に示すように、被介護者や一包化薬剤Ｄに関する情報を記載した紙片等（例えば「１Ｆ」「２Ｆ」）を差し入れるためのものであり、シート本体１０の表面１０ａと、該シート本体１０に融着される第２のシート部材２０の裏面２０ｂとに挟まれた上部開口のポケット状の空間である。また、第５の収容部６は、同じく被介護者や一包化薬剤Ｄに関する情報を記載した紙片等を差し入れるためのものであり、シート部材２０の表面２０ａと、該シート部材２０に融着される第２のシート部材３０の裏面３０ｂとに挟まれた上部開口のポケット状の空間である。
【００３３】
なお、前記シート部材２０，３０，４０は、いずれも横長帯状の１枚のシートからなり、シート本体１０に対して所定位置が縦方向または横方向に沿って融着されることにより各収容部２，３，４，５，６が形成されている。
【００３４】
なお、本実施形態では、前記複数の凹凸は、複数の突起１００からなる梨地模様としたが、砂目、布地模様、ヘアライン仕上げなどのその他の模様や形状であってもよい。
【００３５】
また、前記複数の凹凸は、シボ加工により形成したが、その他の加工により形成しても
よい。
【００３６】
また、前記複数の凹凸は、収容部２の前方の内面（シート部材２０の裏面２０ｂ）のみに形成したが、それに代わって、あるいはそれと共に、収容部２の後方の内面（シート本体１０の表面１０ａ）に形成してもよい。ただ、一般に、収容部２の前方の内面を構成するシート部材２０は貼り付き易い素材から構成されることが多いため、少なくとも収容部２の前方の内面（シート部材２０の裏面２０ｂ）に複数の凹凸を形成するのが好ましい。
【００３７】
また、前記複数の凹凸は、収容部２の一方の内面（シート部材２０の裏面２０ｂ）の全部の領域に形成したが、一部の領域のみに形成してもよい。ただ、一包化薬剤Ｄの取り出し易さを考慮すると、収容部２の一方の内面２０ｂの少なくとも表面積５０％以上、さらに好ましくは７０％以上の領域に形成するのが好ましい。
【００３８】
また、シート本体１０、シート部材２０、３０、４０は合成樹脂からなるものとしたが、その他の素材からなるものであってもよい。
【００３９】
また、シート部材２０、３０、４０は透明素材からなるものとしたが、不透明素材からなるものであってもよい。
【００４０】
また、収納部２は、シート本体１０にシート部材２０を融着して設けたが、縫着・接着などその他の手段で設けてもよい。
【００４１】
また、収容部２は、両側および下側の縁部が融着された上部開口のポケット状の空間としたが、その他の部分（例えば左側および／または右側）が開口されたポケット状の空間であってもよい。
【００４２】
また、収納部２は、シート本体１０にシート部材２０を融着して設けたが、あらかじめ袋状の収容部２を作成し、該袋状の収容部２をシート本体１０に取り付けることにより設けてもよい。
【００４３】
また、第２の収納部３は、収納部２の下部に設けるものとしたが、収容部２のその他の箇所に設けてもよい。
【００４４】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００４５】
１…薬剤管理具
１０…シート本体
２…収納部
３…第２の収納部
４，５…第３の収納部
２０、３０、４０…シート部材
【図１】
2015146963.tif 000003
【図２】
2015146963.tif 000004
【図３】
2015146963.tif 000005
【図４】
2015146963.tif 000006
【図５】
2015146963.tif 000007